(57)【要約】【課題】鞄本体を簡単な構造としながら、伸縮ロッドをしっかりと自立させて、上端のグリップ部を握って杖として使用しながら前方に楽に移動させる。【解決手段】キャスター付きの鞄は、底面の四隅部にキャスター６を設けているベースフレーム１と、このベースフレーム１に装着している鞄本体３とを備える。ベースフレーム１は、載せ台２と、上方に引出し自在で上端にグリップを有する伸縮ロッド５とを備える。伸縮ロッド５は、載せ台２の片側に自立するように固定している。さらに、伸縮ロッド５は、グリップ４が引き上げられると、載せ台２の片側から中央に向かってグリップ４が移動するように湾曲または傾斜している。伸縮ロッド５は、収縮状態ではグリップ４が鞄本体３の上部ないし上方に位置してストッパで停止され、また、伸長状態ではキャスター６の底面からグリップ４までの高さが６０〜１００ｃｍとなる位置でストッパ１５で停止される。【選択図】  図６
2004344355.tif 000002
【特許請求の範囲】
【請求項１】
底面の四隅部に自由な方向に走行可能なキャスター（６）を設けているベースフレーム（１）と、このベースフレーム（１）に装着している鞄本体（３）とを備える鞄であって、
ベースフレーム（１）は、四隅部にキャスター（６）を設けて、上に鞄本体（３）を装着している載せ台（２）と、この載せ台（２）の片側に上方に延長して自立するように固定してなる上方に引出し自在で上端にグリップ（４）を有する伸縮ロッド（５）と、この伸縮ロッド（５）を伸長位置と収縮位置に停止させるストッパ（１５）とを備え、鞄本体（３）を載せ台（２）の上で伸縮ロッド（５）の側面に固定しており、
ベースフレーム（１）の伸縮ロッド（５）は、伸長されてグリップ（４）が引き上げられると、載せ台（２）に固定している片側から中央に向かってグリップ（４）が移動するように湾曲されており、
さらに、伸縮ロッド（５）は、収縮状態ではグリップ（４）を鞄本体（３）の上部ないし上方に位置してストッパ（１５）で停止され、また、伸長状態ではキャスター（６）の底面からグリップ（４）までの高さが６０〜１００ｃｍとなる位置でストッパ（１５）で停止されるようにしてなるキャスター付きの鞄。
【請求項２】
底面の四隅部に自由な方向に走行可能なキャスター（６）を設けているベースフレーム（１）と、このベースフレーム（１）に装着している鞄本体（３）とを備える鞄であって、
ベースフレーム（１）は、四隅部にキャスター（６）を設けて、上に鞄本体（３）を装着している載せ台（２）と、この載せ台（２）の片側に上方に延長して自立するように固定してなる上方に引出し自在で上端にグリップ（４）を有する伸縮ロッド（５）と、この伸縮ロッド（５）を伸長位置と収縮位置に停止させるストッパ（１５）とを備え、鞄本体（３）を載せ台（２）の上で伸縮ロッド（５）の側面に固定しており、
ベースフレーム（１）の伸縮ロッド（５）は、伸長されてグリップ（４）が引き上げられると、載せ台（２）に固定している片側から中央に向かってグリップ（４）が移動するように傾斜されており、
さらに、伸縮ロッド（５）は、収縮状態ではグリップ（４）を鞄本体（３）の上部ないし上方に位置してストッパ（１５）で停止され、また、伸長状態ではキャスター（６）の底面からグリップ（４）までの高さが６０〜１００ｃｍとなる位置でストッパ（１５）で停止されるようにしてなるキャスター付きの鞄。
【請求項３】
可撓性シートを縫製してなる鞄本体（３）をベースフレーム（１）に脱着できるように装着している請求項１または２に記載されるキャスター付きの鞄。
【請求項４】
伸縮ロッド（５）が、載せ台（２）に上下方向に伸びる姿勢で固定しているガイド筒（５Ｂ）と、このガイド筒（５Ｂ）に出し入れできるように挿入している引出ロッド（５Ａ）とを備え、引出ロッド（５Ａ）の上端にグリップ（４）を固定している請求項１または２に記載されるキャスター付きの鞄。
【請求項５】
載せ台（２）の片側に２本の伸縮ロッド（５）を固定して、２本の伸縮ロッド（５）の上端にグリップ（４）を連結している請求項１または２に記載されるキャスター付きの鞄。
【請求項６】
２本の伸縮ロッド（５）が、ガイド筒（５Ｂ）の上端を連結ロッド（１１）で連結してなる請求項４と５に記載されるキャスター付きの鞄。
【請求項７】
２本の伸縮ロッド（５）を、載せ台（２）の片側の両端部に固定している請求項５に記載されるキャスター付きの鞄。
【請求項８】
載せ台（２）と伸縮ロッド（５）を補強壁（８）で連結しており、鞄本体（３）を補強壁（８）と伸縮ロッド（５）とで囲まれる部分に装着している請求項１または２に記載されるキャスター付きの鞄。
【請求項９】
ベースフレーム（１）が載せ台（２）と補強壁（８）とをプラスチックで一体的に成形している請求項８に記載されるキャスター付きの鞄。
【請求項１０】
載せ台（２）が、伸縮ロッド（５）を固定している側部に、載せ台（２）の幅を広くする方向に突出する突出部（９）を設けており、この突出部（９）を設けた部分にキャスター（６）を固定している請求項１または２に記載されるキャスター付きの鞄。
【請求項１１】
伸縮ロッド（５）に折り畳み椅子（３０）を連結している請求項１または２に記載されるキャスター付きの鞄。
【請求項１２】
折り畳み椅子（３０）が、一方の側部を傾動できると共に上下に移動できるように伸縮ロッド（５）に連結している座台（３１）と、この座台（３１）の連結部に傾動できるように連結している折畳脚（３２）と、この折畳脚（３２）に連結されて座台（３１）を水平な姿勢に保持する支持リンク（３３）と、折畳脚（３２）の拡開角を制限する連結リンク（３４）とを備えている請求項１１に記載されるキャスター付きの鞄。
【請求項１３】
ストッパ（１５）が、引出ロッド（５Ａ）の下端部に配設されて、ガイド筒（５Ｂ）に向かって弾性的に突出する突出ピン（１６）と、ガイド筒（５Ｂ）に設けられて、突出ピン（１６）が挿入される係止部（１７）と、突出ピン（１６）を係止部（１７）から強制的に引き抜く解除機構（１８）とを備える請求項４に記載されるキャスター付きの鞄。
【請求項１４】
解除機構（１８）が、グリップ（４）に配設された押しボタン（２０）と、グリップ（４）及び引出ロッド（５Ａ）に内蔵されて、押しボタン（２０）で上下に移動される駆動ロッド（２１）と、この駆動ロッド（２１）に押圧されて、突出ピン（１６）を強制的に引き込む方向に回動する回動片（２２）とを備える請求項１３に記載されるキャスター付きの鞄。
【請求項１５】
押しボタン（２０）をグリップ（４）の上面に設けている請求項１４に記載されるキャスター付きの鞄。
【発明の詳細な説明】
【０００１】
【発明の属する技術分野】
本発明は、キャスター付きの鞄に関し、とくに、上下に移動できる取手を有する鞄に関する。
【０００２】
【従来の技術】
引出し自在な取手を備えるキャスター付きの鞄はすでに開発されて多く使用されている。この構造の鞄は、航空機に持込みできる程度の大きさ、あるいは、これよりも多少大きいタイプのものが多い。この構造の鞄は、例えば、米国特許第４９９５４８７号の明細書（特許文献１）、特公平４−７６６８６号公報（特許文献２）、実開平５７−１７９８２４号公報（特許文献３）及び実開昭６３−１３１６３４号公報（特許文献４）に記載されている。これ等の公報に記載される鞄は、図１に示すように底面の片側に２個のキャスター４１を設けている。キャスター４１の反対側には、短い脚２を固定している。鞄を垂直に立てると、キャスター４１と脚４２とが床に接触する。この状態では、回転しない脚４２が接触するので、鞄は移動しない状態で垂直に自立する。さらに、鞄を引っ張って移動させるために、上面に引き出しできるように取手４３を設けている。取手４３は、鞄を傾斜させた状態で引っ張って移動させるので、キャスター４１と同じ側に設けられる。
【０００３】
この構造の鞄は、図１に示すように、鞄を傾け、取手４３を引っ張って移動できる。鞄が傾斜すると、キャスター４１が床に接触し、脚４２は床から離れる。この状態で取手４３を引っ張ると、キャスター４１が回転して楽に移動できる。しかしながら、このようにして移動させる鞄は、航空機内のように狭いところや、混雑するところでは、キャスター４１を使用できないことがある。キャスター４１で走行させると、鞄の横幅が広くなって、機内の座席の間の狭い通路や、混雑するところで自由に移動できないからである。キャスター４１が使用できなくなると、鞄を手で持ち上げて移動させる必要がある。手で持ち上げて移動させるときは、横幅が広くならないように、図１の矢印Ａで示す方向に移動できる。
【０００４】
キャスター付きの鞄は、重い鞄を軽く、楽に移動させるのに便利な構造である。鞄が重くても、キャスターで楽に移動できるからである。本発明者は、このような欠点を解消するために、図２に示す構造の鞄を開発した。この図の鞄は、キャスター４１を、ケース本体４４の底面に装着している。キャスター４１は、ケース本体４４を垂直姿勢で自立できるように、底面の四隅に設けている。取手４３の握り部４３Ａは、ケース本体４４の上方で、その左右の中央に位置する。この構造の鞄は、図１に示す鞄のように、鞄を傾斜させて移動させるのではない。鞄を垂直に立てた姿勢で、図２の矢印で示す方向に移動させる。矢印で示す方向に移動させると、横幅を狭くして移動できる。このため、機内や混雑するところで便利に移動できる特長がある。さらに、４個のキャスター４１に、自由な方向に移動できる自在キャスターを使用すると、鞄は、垂直の姿勢で自由な方向に移動できる。垂直姿勢の鞄は、鞄の重さが取手４３に作用しない。このため、鞄が極めて重くても、押すだけで楽に移動できる。
【０００５】
この構造の鞄は、取手の握り部を押して、４個のキャスターで軽く楽に移動できる。ただ、この構造の鞄は、取手上端の握り部を、ケース本体の左右の中央部に位置させる必要がある。自由に首振りできるキャスターを備える鞄は、握り部をケース本体の片側に装着すると、握り部を押してまっすぐに移動させるのが難しいからである。
【０００６】
左右の中央に取手を装着する鞄は、図３の断面図に示すように、取手４３の伸縮ロッド４５をケース本体４４の内部で固定する必要がある。伸縮ロッド４５は、握り部４３Ａをケース本体４４の左右の中央に配設するために、ケース本体４４の左右、すなわち、厚さ方向の中央を貫通する状態で固定される。この構造の鞄は、伸縮ロッド４５が邪魔になって、ケース本体４４の内部を有効に使用するのが難しくなる。本発明者は、伸縮ロッド４５が邪魔になる欠点を少しでも少なくするために、ケース本体４４に仕切り板４６を固定し、この仕切り板４６に伸縮ロッド４５を固定する鞄を開発した。この鞄は、仕切り板４６の両面に物を収納できるように、鞄を両側に開けられる構造とした。この構造の鞄は、仕切り板４６でケース本体４４を補強すると共に、ケース本体４４を２分割して便利に使用できる構造としている。ただ、この構造によっても、ケース本体４４の内部には、伸縮ロッド４５が邪魔になる欠点を解消できない。とくに、ケース本体４４が浅くなって、厚い物を収納できなくなる欠点は解消できない。
【０００７】
本発明者は、これ等の欠点を解決することを目的に、図４に記載する鞄を開発した（特許文献５参照）。
【０００８】
この鞄は、ケース本体４４の底面四隅部にキャスター４１を設け、さらにこのケース本体４４の側面には、伸縮ロッド４５を固定している。伸縮ロッド４５は、取手４３を上方に引き出しできる構造であって、上端に握り部４３Ａを設けている。伸縮ロッド４５は、ケース本体４４から引き上げられた状態で握り部４３Ａをケース本体４４上面の左右の中央に位置させるように湾曲している。
【０００９】
【特許文献１】
米国特許第４９９５４８７号明細書
【特許文献２】
特公平４−７６６８６号公報
【特許文献３】
実開平５７−１７９８２４号公報
【特許文献４】
実開昭６３−１３１６３４号公報
【特許文献５】
特開平１０−１３７０２２号公報
【００１０】
【発明が解決しようとする課題】
この構造の鞄は、伸縮ロッドを側部に固定しているので、鞄本体の内部を深くできる特長がある。しかしながら、この構造の鞄は鞄本体に伸縮ロッド固定しているので、鞄本体を強靭な構造とする必要がある。それは、鞄本体で伸縮ロッドを自立させるからである。とくに、自由な方向に移動できる首振り式のキャスターを四隅に設けて、伸縮ロッドを自立するように鞄本体に固定し、さらにグリップの高さを６０〜１００ｃｍとする鞄は、グリップを握って歩行する時には杖に併用しながら押して移動できる。この構造の鞄は、図１に示すように伸縮ロッドを引っ張って移動させるのでなく、杖として歩行者の支えとして使用しながら、前方に押されて鞄本体を移動させるので、押しても倒れない強靭な構造が要求される。このため、伸縮ロッドを鞄本体にしっかりと自立できる構造とするために、鞄本体と伸縮ロッドの取付部分を強く補強する必要がある。このため、鞄本体の構造が複雑になって製作コストが著しく高くなる欠点があった。また、鞄本体は収納スペースを減少することなく強靭な構造に補強するのが難しい欠点もある。
【００１１】
本発明は、さらにこのような欠点を解決することを目的に開発されたものである。本発明の重要な目的は、鞄本体を簡単な構造として、安価に多量生産でき、しかも、伸縮ロッドをしっかりと自立させて、上端のグリップ部を握って杖として使用しながら前方に楽に移動できるキャスター付きの鞄を提供することにある。
【００１２】
【課題を解決するための手段】
本発明のキャスター付きの鞄は、底面の四隅部に自由な方向に走行可能なキャスター６を設けているベースフレーム１と、このベースフレーム１に装着している鞄本体３とを備える。ベースフレーム１は、上に鞄本体３を装着している載せ台２と、上方に引出し自在であって上端にグリップ４を有する伸縮ロッド５と、この伸縮ロッド５を伸長位置と収縮位置に停止させるストッパ１５とを備える。載せ台２は、四隅部にキャスター６を設けている。伸縮ロッド５は、載せ台２の片側に、上方に延長して自立するように固定している。ベースフレーム１は、鞄本体３を載せ台２の上で伸縮ロッド５の側面に固定している。
【００１３】
さらに、本発明の請求項１のキャスター付きの鞄は、伸縮ロッド５が伸長されてグリップ４が引き上げられると、載せ台２に固定している片側から中央に向かってグリップ４が移動するようにベースフレーム１の伸縮ロッド５を湾曲している。伸縮ロッド５は、収縮状態ではグリップ４が鞄本体３の上部ないし上方に位置してストッパ１５で停止され、また、伸長状態ではキャスター６の底面からグリップ４までの高さが６０〜１００ｃｍとなる位置でストッパ１５で停止される。
【００１４】
さらに、本発明の請求項２のキャスター付きの鞄は、伸縮ロッド５が伸長されてグリップ４が引き上げられると、載せ台２に固定している片側から中央に向かってグリップ４が移動するようにベースフレーム１の伸縮ロッド５を傾斜している。伸縮ロッド５は、収縮状態ではグリップ４が鞄本体３の上部ないし上方に位置してストッパ１５で停止され、また、伸長状態ではキャスター６底面からグリップ４までの高さが６０〜１００ｃｍとなる位置でストッパ１５で停止される。
【００１５】
鞄本体３は、可撓性シートを縫製して製作し、ベースフレーム１に脱着できるように装着することができる。伸縮ロッド５は、載せ台２に上下方向に伸びる姿勢で固定しているガイド筒５Ｂと、このガイド筒５Ｂに出し入れできるように挿入している引出ロッド５Ａとを備え、引出ロッド５Ａの上端にグリップ４を固定することができる。
【００１６】
ベースフレーム１は、載せ台２の片側に２本の伸縮ロッド５を固定して、２本の伸縮ロッド５の上端にグリップ４を連結することができる。２本の伸縮ロッド５は、ガイド筒５Ｂの上端を連結ロッド１１で連結することができる。さらに、２本の伸縮ロッド５は、載せ台２の片側の両端部に固定することができる。
【００１７】
さらに、ベースフレーム１は、載せ台２と伸縮ロッド５を補強壁８で連結して、補強壁８と伸縮ロッド５とで囲まれる部分に鞄本体３を装着することができる。ベースフレーム１は、載せ台２と補強壁８とをプラスチックで一体的に成形することができる。載せ台２は、伸縮ロッド５を固定している側部に、載せ台２の幅を広くする方向に突出する突出部９を設けて、この突出部９を設けた部分にキャスター６を固定することができる。
【００１８】
さらに、本発明のキャスター付きの鞄は、伸縮ロッド５に折り畳み椅子３０を連結することができる。この折り畳み椅子３０は、一方の側部を、傾動できると共に上下に移動できるように伸縮ロッド５に連結している座台３１と、この座台３１の連結部に傾動できるように連結している折畳脚３２と、この折畳脚３２に連結されて座台３１を水平な姿勢に保持する支持リンク３３と、折畳脚３２の拡開角を制限する連結リンク３４とを備えることができる。
【００１９】
ストッパ１５は、引出ロッド５Ａの下端部に配設されて、ガイド筒５Ｂに向かって弾性的に突出する突出ピン１６と、ガイド筒５Ｂに設けられて、突出ピン１６が挿入される係止部１７と、突出ピン１６を係止部１７から強制的に引き抜く解除機構１８とを備えることができる。解除機構１８は、グリップ４に配設された押しボタン２０と、グリップ４及び引出ロッド５Ａに内蔵されて、押しボタン２０で上下に移動される駆動ロッド２１と、この駆動ロッド２１に押圧されて、突出ピン１６を強制的に引き込む方向に回動する回動片２２とを備えることができる。押しボタン２０は、グリップ４の上面に設けることができる。
【００２０】
【発明の実施の形態】
以下、本発明の実施例を図面に基づいて説明する。ただし、以下に示す実施例は、本発明の技術思想を具体化するためのキャスター付きの鞄を例示するものであって、本発明は鞄を下記のものに特定しない。
【００２１】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００２２】
図５と図６に示すキャスター付きの鞄は、底面の四隅部に、自由な方向に走行可能な首振り式のキャスター６を設けているベースフレーム１と、このベースフレーム１に装着している鞄本体３とを備える。図の鞄は、鞄本体３を脱着できるようにベースフレーム１に装着している。この鞄は、鞄本体３を簡単に交換できる特長がある。ただ、鞄本体は、脱着できないようにベースフレームに固定することもできる。
【００２３】
ベースフレーム１は、プラスチックを成形して製作される。ベースフレーム１は、四隅部にキャスター６を設けて、上に鞄本体３を装着している載せ台２と、この載せ台２の片側に上方に延長して自立するように固定され、かつ上方に引出し自在であって上端にグリップ４を有する伸縮ロッド５と、この伸縮ロッド５を伸長位置と収縮位置に停止させるストッパ１５とを備える。ベースフレーム１は、載せ台２の上で伸縮ロッド５の側面に鞄本体３を装着している。
【００２４】
載せ台２は、全体の平面形状を長方形としている。載せ台２は、長方形の長辺の片側に伸縮ロッド５を固定している。長方形の短辺側には補強壁８を設けている。補強壁８は、載せ台２の上面に垂直に伸びるように設けられる。補強壁８は、伸縮ロッド５を固定している片側に向かって次第に高くしている。この補強壁８は、固定する伸縮ロッド５をより強靭な構造で連結できる。補強壁８は、内面を平面状にして外側に補強リブ８Ａを一体的に成形して設けている。補強壁８は、縦方向に複数の補強リブ８Ａを設けると共に、上縁に沿っても補強リブ８Ａを設けている。この補強壁８は、軽くて強靭な構造にできる。また、補強リブ８Ａで外観の意匠を美しくできる特長もある。
【００２５】
載せ台２と補強壁８は、プラスチックで一体的に成形される。載せ台２と補強壁８とをプラスチックで一体的に成形しているベースフレーム１は、補強壁８と載せ台２との連結強度を強くできる。ただ、本発明の鞄は、補強壁と載せ台とを別々のプラスチックで成形して接着やネジ止等の構造で固定することもできる。図の載せ台２は、両端に設けている補強壁８を側壁１０で連結している。側壁１０は、補強壁８の伸縮ロッド連結側に設けている。側壁１０と補強壁８とは互いに直交する姿勢で連結されている。側壁１０は、補強壁８に一体的に成形されて、補強壁８を倒れないように補強する。側壁１０は、図７に示すように、中央部分を低くして、中央部分に折り畳み椅子３０の連結リンク３４を連結している。補強壁８は、伸縮ロッド５を挿入して連結する垂直穴７を設けており、この垂直穴７に伸縮ロッド５を入れて連結している。図の鞄は、伸縮ロッド５を角柱状としているので、垂直穴７を角柱状としている。垂直穴７に入れた伸縮ロッド５は、補強壁８を貫通して先端を伸縮ロッド５に押し付けている止ネジで固定される。ただ、伸縮ロッド５を垂直穴７に接着して固定し、あるいは抜けない嵌合構造で連結することもできる。この構造で伸縮ロッド５を載せ台２に連結する構造は、伸縮ロッド５を極めて強靭な構造で載せ台２に固定できる。
【００２６】
載せ台２は、上面を平面として、その下面には、縦横の伸びる補強リブ（図示せず）を一体的に成形して設けている。この載せ台２は、全体を薄くしながら補強リブで強靭な構造にできる。さらに載せ台は、縦横に設けている補強リブの間に、載せ台を上下に貫通する貫通孔を設けて、より軽くすることもできる。
【００２７】
さらに、図６の載せ台２は、伸縮ロッド５を固定している側部、図において右側に、載せ台２の幅を広くする方向に突出する突出部９を設けており、この突出部９を設けた部分にキャスター６を固定している。突出部９を設けている載せ台２は、その両側に固定するキャスター６の間隔を広くして安定できる。長方形の載せ台２は、その横幅を狭くすると横に倒れやすくなるが、突出部９を設けてキャスター６の間隔を広くして横方向の安定性を向上できる。キャスター６は載せ台２の四隅部に固定されるので、突出部９は伸縮ロッド５を連結する側の両端部に設けられる。突出部９を設けている載せ台２は、その幅を１４〜１６ｃｍとして、長さを２０〜３５ｃｍとしている。ただし、幅は１２〜３５ｃｍとすることもできる。
【００２８】
図の鞄は、突出部９の間に折り畳み椅子３０を収納して、横幅を広くすることなく、折り畳み椅子３０を連結している。この鞄は、突出部９で横の安定性を向上しながら、突出部９によってできるスペースに折り畳み椅子３０を収納できる特長がある。
【００２９】
図の鞄は、載せ台２の上面であって、補強壁８と側壁１０の内側に鞄本体３を装着している。鞄本体３は、可撓性シートを縫製して製作することができる。この鞄は、鞄本体３を脱着できるように装着する構造としている。ただし、鞄本体は、脱着できないようにベースフレームに固定することもできる。図６のベースフレーム１は、連結穴１２と連結フック１３を設けて、鞄本体３を脱着できるように装着する。連結穴１２は、載せ台２と補強壁８に設けている。載せ台２は、伸縮ロッド連結側と反対側に連結穴１２を設けている。図６の載せ台２は、上下に貫通してふたつの連結穴１２を設けている。補強壁８は、上縁部分であって、伸縮ロッド５に接近する位置に連結穴１２を設けている。補強壁８は、補強リブ８Ａを上下に貫通して連結穴１２を設けている。図６の連結穴１２はスリット状としている。スリット状の連結穴１２は、鞄本体３に固定している連結バンド３Ａを挿通して、鞄本体３をベースフレーム１に連結する。
【００３０】
連結フック１３は、伸縮ロッド５に連結している。図６の鞄は、伸縮ロッド５を、載せ台２に下端を連結しているガイド筒５Ｂと、このガイド筒５Ｂに引出しできるように挿入している引出ロッド５Ａとで構成して、ガイド筒５Ｂの上端を連結する連結ロッド１１に連結フック１３を設けている。連結ロッド１１は、プラスチックでもって連結フック１３を一体的に成形して設けている。連結フック１３は上方に延長され、鞄本体３に設けられる連結隙間３Ｂに挿入されて、鞄本体３を外れないように連結する。鞄本体３は、上部に設けている連結隙間３Ｂに連結フック１３を入れ、下部に設けている連結バンド３Ａをベースフレーム１に連結して、外れないように連結される。鞄本体３は、連結バンド３Ａをベースフレーム１に連結して、ベースフレーム１から上昇しなくなる。上方に延長される連結フック１３は、上昇しない鞄本体３を外れないように連結する。
【００３１】
以上の連結穴１２と連結フック１３は、以下のようにして、鞄本体３を脱着できるように簡単に、しかもしっかりと外れないようにベースフレーム１に連結する。
（１）  鞄本体３の連結隙間３Ｂを連結フック１３に引っかける。
（２）  この状態で、鞄本体３の下部に連結している連結バンド３Ａを、ベースフレーム１の載せ台２と補強壁８に設けてる連結穴１２に連結する。連結バンド３Ａは一端を鞄本体３に縫着し、あるいは接着して連結しており、先端には脱着連結具を設けている。脱着連結具は、ボタン、ホック、フック、マジックテープ（登録商標）等である。
【００３２】
ベースフレーム１に装着された鞄本体３は、装着するときと反対に、連結バンド３Ａを外して、上昇させて連結フック１３から外してベースフレーム１から外すことができる。以上の鞄本体３は、下部をベースフレーム１に連結し、上部を連結フック１３に連結して、簡単に脱着して、しかもしっかりとベースフレーム１に装着できる。鞄本体は、連結フックを使用することなく、連結バンドでもって上部と下部の両方をベースフレームに装着することもできる。
【００３３】
伸縮ロッド５は、図５に示すように、伸長されてグリップ４が引き上げられると、載せ台２に固定している片側から中央に向かってグリップ４を移動させるように湾曲されている。図５に示すように、伸縮ロッド５を載せ台２の右側に固定する場合、載せ台２の中央とは、左右方向の中心を意味するものとする。図５の鞄は、載せ台２の右側に伸縮ロッド５を固定しているので、伸縮ロッド５は引き上げられると、グリップ４を載せ台２の右側から左側に向かって移動させるように、伸縮ロッド５を湾曲させている。いいかえると、伸縮ロッド５は、中央部が外側に突出する方向に湾曲されて、引き上げられたグリップ４を、載せ台２の側部から中央に接近する方向に移動させる。伸縮ロッド５を引き上げた状態で、グリップ４は、必ずしも載せ台２の中央に位置する必要はない。それは、グリップ４が完全に中央になくても、グリップ４を押して鞄を曲がらないように前方に移動できるからである。引き上げられたグリップ４の位置は、図５において、伸縮ロッド５を固定している載せ台２の一方の端面を基準の０点とし、反対側の端面を１００とすれば、たとえば、１５〜８０％の位置、好ましくは２０〜６０％、さらに好ましくは２０〜５０％の位置である。
【００３４】
さらに、図８の鞄は、伸縮ロッド５が伸長されてグリップ４が引き上げられると、載せ台２に固定している片側から中央に向かってグリップ４を移動させるように伸縮ロッド５を傾斜して載せ台２に固定している。図８の鞄は、載せ台２の右側に伸縮ロッド５を固定しているので、伸縮ロッド５は引き上げられると、グリップ４を載せ台２の右側から左側に向かって移動させるように、伸縮ロッド５を傾斜させている。傾斜する伸縮ロッド５も、湾曲する伸縮ロッド５と同じように、グリップ４を引き上げた状態で、グリップ４を必ずしも載せ台２の中央に位置させる必要はない。グリップ４が完全に中央になくても、グリップ４を押して鞄を曲がらないように前方に移動できるからである。
【００３５】
さらに、図示しないが、鞄は、湾曲する伸縮ロッドを傾斜して載せ台の片側に固定して、グリップを引き上げて、載せ台の片側から中央に向かって移動させることもできる。この鞄は、湾曲する曲率半径を大きくすると共に、傾斜角を直角に近くして、グリップを引き上げて載せ台の中央に接近できる。それは、傾斜させることと湾曲させることの両方で、引き上げたグリップを載せ台の側部から中央に移動できるからである。
【００３６】
伸縮ロッド５は、収縮状態、いいかえるとグリップ４を最も押し下げた状態では、グリップ４が鞄本体３の上部ないし上方に位置してストッパ１５で停止される。伸縮ロッド５は、収縮されてグリップ４を最も低くする位置で、キャスター６の底面からグリップ４の上面までの距離を約５０ｃｍとする。ただし、伸縮ロッド５は、収縮されてグリップ４を最も低くする位置で、キャスター６の底面からグリップ４の上面までの距離を、好ましくは３０〜８０ｃｍ、さらに好ましくは３５〜７０ｃｍとすることもできる。伸縮ロッド５を収縮してグリップ４を最も低くする状態で、グリップ４を掴みやすいように、鞄本体３をグリップ４よりも低くする。伸縮ロッド５は、伸長状態、いいかえるとグリップ４を最も高く引き上げた状態では、キャスター６の底面からグリップ４の中心までの高さが６０〜１００ｃｍ、好ましくは６５〜８５ｃｍとなる位置でストッパ１５で停止される。
【００３７】
伸縮ロッド５は、載せ台２に上下方向に伸びるように固定しているガイド筒５Ｂと、このガイド筒５Ｂに出し入れできるように挿入している引出ロッド５Ａとを備え、引出ロッド５Ａの上端にグリップ４を固定している。ガイド筒５Ｂと引出ロッド５Ａは、太さの異なる金属筒とすることができる。ただし、ガイド筒と引出ロッドは、プラスチックを角筒状に成形して製作することもできる。
【００３８】
図の鞄は、載せ台２の片側に２本の伸縮ロッド５を固定して、２本の伸縮ロッド５の上端にグリップ４を連結している。さらに、図の鞄は、載せ台２の片側の両端部に位置して２本の伸縮ロッド５を固定している。すなわち、２本の伸縮ロッド５の間隔を、長方形である載せ台２の長辺の長さとほぼ等しくしている。このように、２本の伸縮ロッド５を載せ台２の両端部に固定する構造は、伸縮ロッド５をより強靭な構造でしっかりと自立できる特長がある。それは、２本の伸縮ロッド５と載せ台２とグリップ４とで構成される長方形状の枠を大きくできるからである。この構造は、伸縮ロッド５を伸長させて鞄を走行させる状態において、鞄の進行方向にグリップ４を押す力が、伸縮ロッド５を倒す方向に作用するのを極減できる。したがって、グリップ４を握って歩行する時、あるいは杖に併用しながら押して移動する時においても、伸長された伸縮ロッド５が倒れるのを防止しながら、安定して走行させることができる。また、伸縮ロッド５と載せ台２との連結部分にかかる負荷を極減できるので、この部分が損傷するのを有効に防止できる特長もある。
【００３９】
さらに、２本の伸縮ロッド５を載せ台２の長辺の両端に固定する構造は、鞄をキャスター６で走行させるときの載せ台２の進行方向に対して、先端側の端部と後端側の端部とに伸縮ロッド５を固定することになる。このため、先端側の伸縮ロッド５では載せ台２を引く方向に力を作用させ、後端側の伸縮ロッド５では載せ台２を押す方向に力を作用させて、載せ台２を軽い力でスムーズに走行させることができる。とくに、この構造は、載せ台２を優れた方向性で舵取りしながら走行できる。このため、底面の四隅部に自由な方向に走行可能なキャスター６を設けている載せ台２を、優れた方向性で安定して走行できる特長が実現できる。
【００４０】
さらに、２本の伸縮ロッド５は、ガイド筒５Ｂの上端を連結ロッド１１で連結している。ガイド筒５Ｂは、下端を載せ台２に固定して、上端部分を連結ロッド１１で連結している。このように、ガイド筒５Ｂの上端を連結ロッド１１で連結する構造は、２本の伸縮ロッド５を補強して、より安定して自立できる。連結ロッド１１と、図７の鎖線で示す最も降下したグリップ４との間には手を入れる挿入隙間１４を設けている。降下したグリップ４を掴みやすくするためである。図のグリップ４は、プラスチックで全体をコ字状に成形して、両端の折曲部分を引出ロッド５Ａに連結して、挿入隙間１４を設けている。
【００４１】
ストッパ１５は、伸縮ロッド５の伸縮を停止できる全ての機構を利用できる。ストッパ１５の一例を、図９と図１０に示す。これらの図のストッパ１５は、引出ロッド５Ａの下端部に配設されて、ガイド筒５Ｂに向かって弾性的に突出する突出ピン１６と、ガイド筒５Ｂに設けられて、突出ピン１６が挿入される係止部１７と、突出ピン１６を係止部１７から強制的に引き抜く解除機構１８とを備える。
【００４２】
突出ピン１６は、ガイド筒５Ｂに向かって弾性的に突出するように、弾性部材１９を介して引出ロッド５Ａの下端部に装着されている。この突出ピン１６は、弾性部材１９に押圧されて引出ロッド５Ａから弾性的に突出している。係止部１７は、突出ピン１６が挿入される貫通孔または凹部である。図に示すガイド筒５Ｂは、突出ピン１６を挿入させる貫通孔を開口して係止部１７としている。係止部１７を貫通孔とする構造は、ここから突出ピン１６をガイド筒５Ｂの外側に突出させて、伸縮ロッド５を確実に停止できる特長がある。このことは、とくに、伸縮ロッド５を杖代わりに使用して、いいかえるとグリップ４に体重をかける姿勢として体を支えるときに極めて安全に使用できる。それは、突出ピン１６が不意に係止部１７から外れて、伸縮ロッド５が押し込まれるのを有効に防止できるからである。また、グリップ４を持って鞄全体を持ち上げるときにも、伸縮ロッド５が不意に引き出されるのを防止できる特長もある。このように、引出ロッド５Ａの位置を確実に固定できるストッパ１５は、グリップ４を上昇位置とする場合においても、また降下位置とする場合においても、極めて安全に使用できる特長がある。ただ、係止部は、突出ピンの先端部を挿入させる凹部とすることもできる。
【００４３】
ガイド筒５Ｂに設けた係止部１７は、図示しないが、引出ロッド５Ａを最も引き上げた状態と、中間まで引き上げた状態と、最も降下させた状態とで突出ピン１６を挿入する位置に係止部１７を設けている。引出ロッド５Ａが最も引き上げられた状態では、最も上の係止部１７に突出ピン１６が挿入され、引出ロッド５Ａが最も降下された状態では、最も下の係止部１７に突出ピン１６が挿入され、さらに、引出ロッド５Ａが中間まで引き上げられた状態では、突出ピン１６が中間の係止部１７に挿入されて伸縮ロッド５の伸縮が停止される。このように、ガイド筒５Ｂの中間に係止部１７を設けた伸縮ロッド５は、複数の段階に分けて引出ロッド５Ａを伸縮できる特長がある。ただ、伸縮ロッドは、必ずしも中間位置で停止できる構造とする必要はなく、上昇位置と降下位置に停止させることもできる。さらに、伸縮ロッド５は、ガイド筒５Ｂの中間に複数の係止部１７を設けて、中間まで引き上げた引出ロッド５Ａを複数の引き上げ位置で停止できる。この伸縮ロッド５は、グリップ４の位置を少しずつ上下させて最適な位置を選択できる。
【００４４】
解除機構１８は、グリップ４に設けている押しボタン２０と、この押しボタン２０に連結されて、押しボタン２０で上下に移動される駆動ロッド２１と、駆動ロッド２１の下端に押圧されて、突出ピン１６を強制的に引き込む方向に回動する回動片２２とを備える。
【００４５】
押しボタン２０は、グリップ４の上面の中央部分に、上下に移動できるように配設している。押しボタン２０は、弾性体２３を介してグリップ４の下面に連結しており、この弾性体２３を介して弾性的に押し出されている。この押しボタン２０は、下面に駆動ロッド２１を連結しており、押しボタン２０が指で上下に移動されると、駆動ロッド２１を上下に駆動するようにしている。
【００４６】
駆動ロッド２１は、グリップ４と引出ロッド５Ａの内部に配設されており、押しボタン２０で上下に駆動されて回動片２２を回動させる。図に示す駆動ロッド２１は、グリップ４の下面に連結された水平ロッド２１Ａと、引出ロッド５Ａに挿通された垂直ロッド２１Ｂとを備える。水平ロッド２１Ａの両端は、垂直ロッド２１Ｂの上端の上方に位置しており、水平ロッド２１Ａが下方に押圧されると垂直ロッド２１Ｂを下方に押し下げるようにしている。垂直ロッド２１Ｂは、上端を、引出ロッド５Ａ内を上下に移動する挿入キャップ２４に挿通しており、垂直ロッド２１Ｂを引出ロッド５Ａ内で正確に上下に移動できるようにしている。ただ、水平ロッドの両端は、垂直ロッドの上端に連結することもできる。たとえば、駆動ロッドは、コ字状に折曲してなる１本のロッドとすることもできる。駆動ロッド２１の下端は、引出ロッド５Ａの下端まで延長されている。
【００４７】
回動片２２は、引出ロッド５Ａの下端に連結されており、駆動ロッド２１の下端に押圧されて突出ピン１６を強制的に引き込む方向に回動する。図に示す引出ロッド５Ａは、下端にガイドキャップ２５を連結しており、このガイドキャップ２５の内部に、垂直面内で回動できるように回動片２２を装着している。このガイドキャップ２５は、駆動ロッド２１の下端部を正確に上下動できるように、引出ロッド５Ａに挿入される連結筒部２６に、駆動ロッド２１を挿通する挿通孔２６Ａを開口している。回動片２２は、一端を回転軸２７を介してガイドキャップ２５に連結すると共に、他端の両側には、突出ピン１６に向かって突出するピン２２Ａを設けている。この回動片２２は、駆動ロッド２１で押圧されて回動するとき、ピン２２Ａの先端を突出ピン１６の両側に設けた突出部１６Ａに当接させて、回動するピン２２Ａで突出ピン１６を押圧して強制的に後退させる。駆動ロッド２１の押圧が解除されると、突出ピン１６は回動片２２のピン２２Ａに押圧されなくなり、弾性部材１９で弾性的に押し出されて回動片２２を元の姿勢に回動させる。
【００４８】
以上の解除機構１８は、押しボタン２０が押されると駆動ロッド２１が押し下げられて、駆動ロッド２１の下端に配設された回動片２２が回動される。回動する回動片２２は、ピン２２Ａの先端で突出ピン１６を引き抜く方向に移動させて、突出ピン１６を係止部１７から引き抜く。この状態で、ストッパ１５は解除されて、引出ロッド５Ａがガイド筒５Ｂの内部を上下に移動できる状態となる。押しボタン２０を離すと、突出ピン１６が弾性部材１９に押圧されてガイド筒５Ｂに向かって突出できる状態となる。
【００４９】
このストッパ１５は、グリップ４に設けている解除機構１８の押しボタン２０を押して、突出ピン１６を強制的に引き込んで、ストッパ１５を解除する。ストッパ１５を解除して、引出ロッド５Ａを引き上げ、あるいは降下させる。突出ピン１６が引き込まれた引出ロッド５Ａは、ガイド筒５Ｂの内部を上下に移動する。押しボタン２０を離した後、グリップ４を所定の高さに調整すると、突出ピン１６が係止部１７に案内され、伸縮ロッド５の伸縮が停止されて、グリップ４の上昇と降下が停止される。
【００５０】
以上の構造のストッパ１５は、簡単な構造で、伸縮ロッド５を決められた位置に停止できる。ただし、本発明の鞄は、ストッパを以上の構造に特定しない。ストッパには伸縮ロッドを所定の位置で停止できる全ての機構とすることができる。
【００５１】
さらに、図５の鞄は、伸縮ロッド５に折り畳み椅子３０を連結している。折り畳み椅子３０を備える鞄は、たとえば、順番待ちのときや疲れたときに、椅子を開いて座って楽に休憩できる。とくに、本発明の鞄は、グリップ４を引き上げた状態では、杖として使用しながら移動できるので、折り畳み椅子３０を設けることにより、移動するときと移動しないときの両方を極めて安楽にできる特長がある。
【００５２】
図の鞄は、折り畳み椅子３０を載せ台２の突出部９の内側に配設している。この鞄は、折り畳み椅子３０を、突出部９から突出しないように折り畳みして、全体の幅を広くすることなく、椅子を設けることができる。折り畳み椅子３０は、開いて上に座る座台３１と、開いて座台３１を安定に支持する折畳脚３２と、座台３１を水平に支持する支持リンク３３と、折畳脚３２を所定の角度に開く状態で支持する連結リンク３４とを備えている。
【００５３】
座台３１は、一方の側部を、傾動できると共に上下に移動できるように伸縮ロッド５に連結している。座台３１はプラスチックで成形して製作され、その両側と先端縁に沿って、下面に突出する周壁３５を一体的に成形している。周壁３５には、折り畳み状態で折畳脚３２を案内する第１切欠部３５Ａと、連結リンク３４を案内する節度切欠部３５Ｂとを設けている。節度切欠部３５Ｂは、連結リンク３４を節度のある状態で案内して、折り畳み椅子３０を折り畳み状態に保持することができる。それは、連結リンク３４を節度切欠部３５Ｂから出さないかぎり、伸縮ロッド５と平行な姿勢で折り畳まれている折畳脚３２と座台３１とを開くことができないからである。
【００５４】
座台３１は、伸縮ロッド５に沿って上下に移動する上下台３６に傾動できるように連結している。上下台３６は、両端を伸縮ロッド５のガイド筒５Ｂに摺動できるように連結している。ガイド筒５Ｂは四角筒であるから、上下台３６はその両端に四角形の貫通孔３６Ａを設けて、この貫通孔３６Ａにガイド筒５Ｂを摺動できるように挿通している。上下台３６は、折り畳み椅子３０を開閉するとき、水平な姿勢で伸縮ロッド５のガイド筒５Ｂに沿って上下に移動する。さらに、上下台３６の降下を停止させる停止筒３７を伸縮ロッド５に固定している。上下台３６は、停止筒３７に当たって降下が停止される。
【００５５】
折畳脚３２は、コ字状に折曲している金属パイプで、その両端を、座台３１の連結部である上下台３６に傾動できるように連結している。折畳脚３２は、伸縮ロッド５に対して傾斜する方向に開閉される。開かれた折畳脚３２は、その下端が伸縮ロッド５から離れるので、開かれた折畳脚３２と伸縮ロッド５とで安定して、座台３１を支持することができる。折畳脚３２は、開かれた状態で、伸縮ロッド５をほぼ垂直な姿勢とするように支持する。
【００５６】
支持リンク３３は、その下端を傾動できるように折畳脚３２に連結されて座台３１を水平な姿勢に保持する。支持リンク３３は、金属ロッドをコ字状に折曲加工したもので、その両端を折畳脚３２に傾動できるように連結している。座台３１は、コ字状に折曲している中間の水平部を摺動できるスリット３８を下面に設けている。座台３１が折畳脚３２に対して開かれると、支持リンク３３の水平部は座台３１のスリット３８を摺動する。支持リンク３３は、図１１に示すように、座台３１の先端側に倒れる姿勢で座台３１を水平に支持する。座台３１を折り畳むとき、支持リンク３３の水平部をスリット３８に沿って座台３１の後方、図１１において左側に移動させる。
【００５７】
連結リンク３４は、一端を折畳脚３２に、他端を載せ台２に傾動できるように連結している２本のロッドである。図の鞄は、連結リンク３４を載せ台２に設けている側壁１０の上面に傾動できるように連結している。この連結リンク３４は、拡開角の中間に連結されて、折畳脚３２が開く角度を所定の角度に制限する。折畳脚３２は、上下台３６を降下させながら開かれる。上下台３６が降下するにしたがって、折畳脚３２の開角度は大きくなる。上下台３６は停止筒３７に当たって降下が停止される。この状態で、連結リンク３４は折畳脚３２が開くのを停止させる。
【００５８】
この構造の折り畳み椅子３０は、以下の動作をして開閉される。
［折り畳み状態］
上下台３６は上昇位置にあり、座台３１と折畳脚３２は伸縮ロッド５と平行な姿勢で折り畳まれる。折畳脚３２は座台３１の第１切欠部３５Ａに案内され、座台３１の節度切欠部３５Ｂに連結リンク３４が案内される。支持リンク３３も伸縮ロッド５と平行に折り畳まれる。鞄をキャスター６で移動させるとき、あるいは折り畳み椅子３０を使用しないときは、この状態として折り畳み椅子３０を伸縮ロッド５と平行な姿勢とする。折り畳み椅子３０は、連結リンク３４が座台３１の節度切欠部３５Ｂに案内されて、折り畳み状態に保持される。
【００５９】
［折り畳み椅子を開くとき］
連結リンク３４を座台３１の節度切欠部３５Ｂから外し、上下台３６を降下させて、座台３１と折畳脚３２を開き、上下台３６を停止筒３７に当たるまで降下させてこの位置で停止させる。この状態で、連結リンク３４が折畳脚３２が開くのを停止する。支持リンク３３を傾動させて、水平部を座台３１のスリット３８に沿って前方に移動し、支持リンク３３を座台３１のスリット３８の最も前方で停止させる。この状態で、座台３１は水平ないしほぼ水平の姿勢に支持リンク３３で支持される。
【００６０】
【発明の効果】
本発明のキャスター付きの鞄は、鞄本体を簡単な構造として、安価に多量生産でき、しかも、伸縮ロッドをしっかりと自立させて、上端のグリップ部を握って杖として使用しながら前方に楽に移動できる特長がある。それは、本発明の鞄が、底面の四隅部にキャスターを設けているベースフレームと、このベースフレームに装着している鞄本体とを備え、このベースフレームが、鞄本体を装着している載せ台の片側に、上方に引出し自在な伸縮ロッドを上方に延長して自立するように固定すると共に、伸縮ロッドが伸長されて上端のグリップが引き上げられると、載せ台に固定している片側から中央に向かってグリップが移動するように伸縮ロッドを湾曲または傾斜させているからである。
【００６１】
本発明の鞄は、従来の鞄のように、鞄の本体ケースで伸縮ロッドを自立姿勢に支持するのではなく、伸縮ロッドを自立できるように載せ台に固定している。このため、伸縮ロッドを自立させるために、鞄本体の材質や形状、及び構造に制約を受けることがなく、いいかえると鞄本体を簡単な構造として、安価に多量生産できる。とくに、請求項３の鞄は、可撓性シートを縫製して鞄本体を製作しているので、鞄全体を軽量にできる。
【００６２】
さらに、本発明の鞄は、ベースフレームとして、載せ台に伸縮ロッドを固定して自立させるので、伸縮ロッドを伸長させてグリップを引き上げた状態においても、伸縮ロッドをしっかりと自立させて、倒れない強靭な構造にできる。このため、グリップを引き上げた状態で、上端のグリップ部を握って杖として使用しながら前方に楽に移動できる。とくに、本発明の請求項８の鞄は、載せ台と伸縮ロッドを補強壁で連結しているので、載せ台と伸縮ロッドとの連結部分を強く補強して、伸縮ロッドをよりしっかりと自立できる特長がある。
【００６３】
さらに、本発明の鞄は、伸縮ロッドを伸長した状態では、上端のグリップを載せ台の中央に位置できるので、グリップを握ってキャスターで鞄を走行させるときに、鞄を蛇行させることなく優れた方向性としながら移動できる特長がある。
【図面の簡単な説明】
【図１】従来のキャスター付きの鞄を示す斜視図
【図２】本発明者が先に開発した鞄の斜視図
【図３】本発明者が先に開発した他の鞄の垂直断面図
【図４】本発明者が先に開発した他の鞄の斜視図
【図５】本発明の一実施例にかかるキャスター付きの鞄の背面斜視図
【図６】図５に示すキャスター付きの鞄の鞄本体を外した状態を示す分解斜視図
【図７】図５に示すキャスター付きの鞄の背面図
【図８】本発明の他の実施例にかかるキャスター付きの鞄の側面図
【図９】伸縮ロッドのストッパの構造を示す拡大断面図
【図１０】図９に示す伸縮ロッドのストッパを解除した状態を示す拡大断面図
【図１１】図５に示す鞄の折り畳み椅子を開いた状態を示す斜視図
【符号の説明】
１…ベースフレーム
２…載せ台
３…鞄本体              ３Ａ…連結バンド        ３Ｂ…連結隙間
４…グリップ
５…伸縮ロッド          ５Ａ…引出ロッド        ５Ｂ…ガイド筒
６…キャスター
７…垂直穴
８…補強壁              ８Ａ…補強リブ
９…突出部
１０…側壁
１１…連結ロッド
１２…連結穴
１３…連結フック
１４…挿入隙間
１５…ストッパ
１６…突出ピン          １６Ａ…突出部
１７…係止部
１８…解除機構
１９…弾性部材
２０…押しボタン
２１…駆動ロッド        ２１Ａ…水平ロッド      ２１Ｂ…垂直ロッド
２２…回動片            ２２Ａ…ピン
２３…弾性体
２４…挿入キャップ
２５…ガイドキャップ
２６…連結筒部          ２６Ａ…挿通孔
２７…回転軸
３０…折り畳み椅子
３１…座台
３２…折畳脚
３３…支持リンク
３４…連結リンク
３５…周壁              ３５Ａ…第１切欠部      ３５Ｂ…節度切欠部
３６…上下台            ３６Ａ…貫通孔
３７…停止筒
３８…スリット
４１…キャスター
４２…脚
４３…取手              ４３Ａ…握り部
４４…ケース本体
４５…伸縮ロッド
４６…仕切り板
【図１】
2004344355.tif 000003
【図２】
2004344355.tif 000004
【図３】
2004344355.tif 000005
【図４】
2004344355.tif 000006
【図５】
2004344355.tif 000007
【図６】
2004344355.tif 000008
【図７】
2004344355.tif 000009
【図８】
2004344355.tif 000010
【図９】
2004344355.tif 000011
【図１０】
2004344355.tif 000012
【図１１】
2004344355.tif 000013